(57)【要約】【課題】本発明は、既に車止めが固定されている駐車場や車庫等においても簡単に設置することができ、自動車を最適な位置に駐めることができるようにガイドする車止めシートを提供することを目的とする。【解決手段】本発明は、水平なシート上に貫通孔の空いた略円柱状の高凸部材を等間隔に配置した列と下面に孔の空いた略円柱状の低凸部材を等間隔に配置した列とを交互に複数列配置した水平部、前記水平部の後ろに連設した前後方向に盛り上がるシート上に略円柱状の凸部材を等間隔に複数列配置した湾曲部からなる予告シートを車止めの前方に固定し、前記予告シートにタイヤが載ったら音を発生することを特徴とする車止めシートの構成とした。【選択図】図１
2007314984.tif 000002
【特許請求の範囲】
【請求項１】
水平なシート上に貫通孔の空いた略円柱状の高凸部材を等間隔に配置した列と下面に孔の空いた略円柱状の低凸部材を等間隔に配置した列とを交互に複数列配置した水平部、前記水平部の後ろに連設した前後方向に盛り上がるシート上に略円柱状の凸部材を等間隔に複数列配置した湾曲部からなる予告シートを車止めの前方に固定し、前記予告シートにタイヤが載ったら音を発生することを特徴とする車止めシート。
【請求項２】
予告シートの斜め前方に、左右方向に盛り上がるシート上に略円柱状の凸部材を等間隔に数列配置したサイド用シートを設置したことを特徴とする請求項１に記載の車止めシート。
【請求項３】
予告シートに接触式センサーを設置し、前記予告シートにタイヤが載ったらランプを点灯することを特徴とする請求項１又は請求項２に記載の車止めシート。
【請求項４】
予告シートの高凸部材、低凸部材及び凸部材の上面を丸めたことを特徴とする請求項１、請求項２又は請求項３に記載の車止めシート。
【発明の詳細な説明】
【技術分野】
【０００１】
本発明は、既に車止めが固定されている駐車場や車庫等においても簡単に設置することができ、自動車を最適な位置に駐めることができるようにガイドする車止めシートに関するものである。
【背景技術】
【０００２】
駐車場等には、自動車を後進で駐車する際に、後方に進み過ぎて壁や別の自動車などに接触しないように、コンクリート製のブロック等を車止めとして地面に固定している場所もある。
【０００３】
特許文献１に記載されているように、車載可能で、荷物の転がり防止具としての使用にも適する車止め具の発明も公開されている。
【特許文献１】特開平１０−０８６８００号公報
【発明の開示】
【発明が解決しようとする課題】
【０００４】
しかしながら、特許文献１に記載の発明は、車輪を載せる基部と車輪を留める当接部とが一体になっており、車輪を留める車止めが最初から設置されている駐車場に設置するには適さない。
【０００５】
そこで、本発明は、既に車止めが固定されている駐車場や車庫等においても簡単に設置することができ、自動車を最適な位置に駐めることができるようにガイドする車止めシートを提供することを目的とするものである。
【課題を解決するための手段】
【０００６】
本発明は、上記の課題を解決するために、水平なシート上に貫通孔２ｈの空いた略円柱状の高凸部材２ｅを等間隔に配置した列と下面に孔２ｉの空いた略円柱状の低凸部材２ｆを等間隔に配置した列とを交互に複数列配置した水平部２ｂ、前記水平部２ｂの後ろに連設した前後方向に盛り上がるシート上に略円柱状の凸部材２ｇを等間隔に複数列配置した湾曲部２ｃからなる予告シート２、２ａを車止め４、４ａの前方に固定し、前記予告シート２、２ａにタイヤ５ａが載ったら音を発生することを特徴とする車止めシート１の構成とした。
【発明の効果】
【０００７】
本発明は、以上の構成であるから以下の効果が得られる。第１に、予告シートが車止めの位置を予告するので、免許取立ての初心者、女性又は老人等の車庫入れに自信のない者でも、安心して自動車を所定の位置に収めることができるようになる。
【０００８】
第２に、予告シートの発する音や、接触式センサーを使用したランプを確認することにより、夜や雨の日など視界の悪い状態でも、簡単に自動車を所定の位置に収容することができるようになる。
【発明を実施するための最良の形態】
【０００９】
本発明は、既に車止めが固定されている駐車場や車庫等においても簡単に設置することができ、自動車を最適な位置に駐めることができるようにガイドするという目的を、水平なシート上に貫通孔の空いた略円柱状の高凸部材を等間隔に配置した列と下面に孔の空いた略円柱状の低凸部材を等間隔に配置した列とを交互に複数列配置した水平部、前記水平部の後ろに連設した前後方向に盛り上がるシート上に略円柱状の凸部材を等間隔に複数列配置した湾曲部からなる予告シートを車止めの前方に固定し、前記予告シートにタイヤが載ったら音を発生することを特徴とする車止めシートとすることで実現した。
【実施例１】
【００１０】
以下に、添付図面に基づいて、本発明である車止めシートについて詳細に説明する。図１は、本発明である車止めシートの使用状況を示す図である。
【００１１】
車止めシート１は、水平なシート上に貫通孔２ｈの空いた略円柱状の高凸部材２ｅを等間隔に配置した列と下面に孔２ｉの空いた略円柱状の低凸部材２ｆを等間隔に配置した列とを交互に複数列配置した水平部２ｂ、前記水平部２ｂの後ろに連設した前後方向に盛り上がるシート上に略円柱状の凸部材２ｇを等間隔に複数列配置した湾曲部２ｃからなる予告シート２、２ａを車止め４、４ａの前方に固定し、前記予告シート２、２ａにタイヤ５ａが載ったら音を発生することを特徴とする。
【００１２】
自動車５を後進で駐車スペースに入れる際、視界が悪いために駐車スペースを区切るラインや車止め４、４ａの位置が分からない場合があり、駐車スペースに収めることができなかったり、車止め４、４ａを乗り越えてしまうこともある。
【００１３】
車止めシート１を設置しておくことにより、車止め４、４ａの位置を把握することができるようになり、自動車５を適正な場所に駐車することができるようになる。尚、車止めシート１には、予告シート２、２ａ及びサイド用シート３、３ａ等がある。
【００１４】
図２は、本発明である車止めシートの斜視図である。図３は、本発明である車止めシートの平面図である。
【００１５】
左予告シート２は、左車止め４の前方に敷き、右予告シート２ａは、右車止め４ａの前方に敷く。予告シート２、２ａにタイヤ５ａが載った感覚及び予告シート２、２ａが発生する音等により、車止め４、４ａに近づいたことを察知できる。
【００１６】
左サイド用シート３は、駐車スペース内の左端に沿って敷き、右サイド用シート３ａは、駐車スペース内の右端に沿って敷く。サイド用シート３、３ａにタイヤ５ａが載った感覚により、自動車５が駐車スペースから外れようとしていることが察知できる。
【００１７】
図４は、本発明である車止めシートの予告シートの平面図である。図５は、本発明である車止めシートの予告シートの側面図である。尚、右予告シート２ａは左予告シート２と同様である。
【００１８】
予告シート２は、前側の水平部２ｂ、中央の湾曲部２ｃ及び後側の後端部２ｄを連設したシートである。予告シート２に材質としては、プラスチック、ゴム、合成ゴム又はその他リサイクル材等を使用することができる。
【００１９】
予告シート２の寸法の例としては、前端から後端までの長さを約５１０ｍｍ、左端から右端までの幅を約４５０ｍｍ、厚さ（シートのみ）を７ｍｍとし、一列に１１個又は１０個の凸部材を４０ｍｍ毎に配置したものを２５列設ける。
【００２０】
水平部２ｂは、最初に自動車５のタイヤ５ａが載る水平な部分である。水平部２ｂの表面には、高凸部材２ｅ及び低凸部材２ｆが配置される。尚、高凸部材２ｅの列と低凸部材２ｆを列とを位置を横にずらした上で交互に並べる。
【００２１】
水平部２ｂの寸法の例としては、長さを約２００ｍｍとし、高凸部材２ｅを５列、低凸部材２ｆを５列の全部で１０列設ける。尚、高凸部材２ｅは１列に１１個配置し、低凸部材２ｆは１個分横にずらして１列に１０個配置する。
【００２２】
高凸部材２ｅ及び低凸部材２ｆには空洞があるため、自動車５のタイヤ５ａが載って潰されると、空気が抜けて音が発生する。また、高凸部材２ｅと低凸部材２ｆとは高さが異なり、空洞の空き方も異なるので、発生する音も異なる。
【００２３】
更に、タイヤ５ａの位置により高凸部材２ｅ及び低凸部材２ｆの潰され方が様々であるため、不規則な音が発生し、水平部２ｂにタイヤ５ａが載ったことを、自動車５の運転者に知らせることが可能となる。
【００２４】
湾曲部２ｃは、水平部２ｂの後に続く緩やかな山状に盛り上がった部分である。湾曲部２ｃの斜面には、凸部材２ｇが配置される。尚、１１個の列と１０個の列とを位置を横にずらした上で交互に並べる。
【００２５】
湾曲部２ｃの寸法の例としては、長さを約２６０ｍｍとし、凸部材２ｇを１列１１個の列を７列、１列１０個の列を６列の全部で１３列設ける。尚、１列１０個の列は、１個分横にずらして配置する。
【００２６】
また、湾曲部２ｃは、半径を約３００ｍｍとする円弧のように湾曲しており、凸部材２ｇは、頂部の１つ隣りにおいては、垂直方向から約３．７°傾いて設置され、前端側又は後端側においては、垂直方向から約２２．６°傾いて設置される。
【００２７】
尚、頂部の２つ隣りにおいては、垂直方向から約７．４°、頂部の３つ隣りにおいては、垂直方向から約１１．１°、頂部の４つ隣りにおいては、垂直方向から約１４．９°、頂部の５つ隣りにおいては、垂直方向から約１８．４°傾いて設置される。
【００２８】
自動車５の運転者は、タイヤ５ａが湾曲部２ｃに乗り上げることにより、車止め４の位置が近いことを把握することができる。尚、凸部材２ｇには、斜面を上り下りする際の滑り止めの効果もある。
【００２９】
後端部２ｄは、湾曲部２ｃの斜面を降りた後の水平な部分である。後端部２ｄの表面には、湾曲部２ｃと同様に凸部材２ｇが配置される。後端部２ｄの寸法の例としては、長さを約５０ｍｍとし、凸部材２ｇを２列設ける。
【００３０】
留具２ｊは、予告シート２の左端及び右端の数ヶ所、例えば四隅において、予告シート２を地面に固定する部材である。留具２ｊとしては、コンクリートボンド又はコンクリートビス等が使用される。
【００３１】
図６は、本発明である車止めシートの高凸部材の平面図である。図７は、本発明である車止めシートの高凸部材の側面の断面図である。
【００３２】
高凸部材２ｅは、略円柱状であり、上面から下面にかけて中央に貫通孔２ｈが空く。側面は台形状に斜面であり、上から下にかけてテーパー状に拡がる。尚、上面の縁は丸めても良い。
【００３３】
高凸部材２ｅの寸法の例としては、上面の直径を約１２ｍｍ、下面の直径を約２０ｍｍ、高さを約１２ｍｍ（シートを含めて約１９ｍｍ）とする。また、貫通孔２ｈの直径を上面で５ｍｍ、下面で１２ｍｍとする。
【００３４】
図８は、本発明である車止めシートの低凸部材の平面図である。図９は、本発明である車止めシートの低凸部材の側面の断面図である。
【００３５】
低凸部材２ｆは、高凸部材２ｅと同様に略円柱状であるが、下面から貫通しない略円錐形の孔２ｉが空く。低凸部材２ｆの寸法の例としては、高さを１０ｍｍ（シートを含めて１７ｍｍ）とし、孔２ｉの下面の直径を１２ｍｍとする。
【００３６】
図１０は、本発明である車止めシートの凸部材の平面図である。図１１は、本発明である車止めシートの凸部材の側面の断面図である。
【００３７】
凸部材２ｇは、高凸部材２ｅ又は低凸部材２ｆと同様に略円柱状であるが、高凸部材２ｅ及び低凸部材２ｆとは異なり、貫通孔２ｈ又は孔２ｉのような空洞は存在しない。尚、寸法についても同様である。
【実施例２】
【００３８】
図１２は、本発明である車止めシートのサイド用シートの平面図である。図１３は、本発明である車止めシートのサイド用シートの正面図である。尚、右サイド用シート３ａは左サイド用シート３と同様である。
【００３９】
車止めシート１の予告シート２、２ａの斜め前方、即ち自動車の側方に、左右方向に盛り上がるシート上に略円柱状の凸部材３ｄを等間隔に数列配置したサイド用シート３、３ａを設置することもできる。
【００４０】
サイド用シート３は、中央の湾曲部３ｂ及び左側及び右側の側端部３ｃを連設したシートである。尚、サイド用シート３の材質は、予告シート２と同様に、プラスチック、ゴム、合成ゴム又はその他リサイクル材等である。
【００４１】
サイド用シート３の寸法の例としては、前端から後端までの長さを約６００ｍｍ、左端から右端までの幅を約１９０ｍｍ、厚さ（シートのみ）を７ｍｍとし、一列に３個又は４個の凸部材を４０ｍｍ毎に配置したものを２９列設ける。
【００４２】
湾曲部３ｂは、中央の緩やかな山状に盛り上がった部分である。湾曲部２ｃの斜面には、凸部材３ｄが配置される。尚、３個の列と４個の列とを位置を横にずらした上で交互に並べる。
【００４３】
湾曲部３ｂの寸法の例としては、幅を約１５０ｍｍとし、凸部材３ｄを１列３個の列を１５列、１列４個の列を１４列の全部で１３列設ける。尚、１列４個の列は、１個分横にずらして配置する。
【００４４】
また、湾曲部３ｂは、半径を約１２５ｍｍとする円弧のように湾曲しており、凸部材３ｄは、頂部の１つ隣りにおいては、垂直方向から約８．４°、２つ隣りにおいては、約１７°、端側においては、約２６°傾いて設置される。
【００４５】
湾曲部３ｂは、予告シート２の湾曲部２ｃよりも急な斜面で盛り上がっており、自動車５の運転者が乗り上げたことを容易に判断できるため、タイヤ５ａが横に逸れるのを防止する効果がある。
【００４６】
側端部３ｃは、湾曲部３ｂの左右両側の水平な部分である。サイド用シート３を、留具３ｅにより数ヶ所、例えば四隅において、地面に固定する部材である。留具３ｅとしては、コンクリートボンド又はコンクリートビス等である。
【実施例３】
【００４７】
図１４は、本発明である車止めシートの接触式センサーを使用した予告シートにタイヤが載った状態を示す図である。図１５は、本発明である車止めシートの接触式センサーを使用した予告シートを越えてタイヤが車止めで留まった状態を示す図である。
【００４８】
車止めシート１の左右予告シート２、２ａに接触式センサー６を設置し、左右予告シート２、２ａの上に自動車５のタイヤ５ａが載ったらランプ６ａを点灯するようにすることもできる。
【００４９】
接触式センサー６は、予告シート２の水平部２ｂにある高凸部材２ｅ又は低凸部材２ｆの数ヶ所に設置する。尚、タイヤ５ａがどの位置に載っても１個以上感知できるようにバランス良く配置する。
【００５０】
接触式センサー６の信号は、ランプ６ａの点灯又は消灯に利用する。即ち、タイヤ５ａが水平部２ｂに載ったら接触式センサー６が感知してランプ６ａを点灯させ、水平部２ｂ上に無い場合はランプ６ａを消灯させる。
【００５１】
ランプ６ａは、自動車５の運転者の目に付く場所に設置する。騒音等により高凸部材２ｅ又は低凸部材２ｆが発する音が聞こえづらくても、ランプ６ａの点灯により、予告シート２にタイヤ５ａが載ったことを把握することができる。
【００５２】
水平部２ｂを過ぎて湾曲部２ｃに至るとランプ６ａは消灯し、湾曲部２ｃを乗り越えると、タイヤ５ａはちょうど車止め４の前に来る。尚、予告シート２と車止め４との距離は、タイヤ５ａの大きさにより調整することができるようにすることも可能である。
【実施例４】
【００５３】
図１６は、本発明である車止めシートの予告シートの高凸部材の上面を丸めた場合の断面図である。図１７は、本発明である車止めシートの予告シートの低凸部材の上面を丸めた場合の断面図である。尚、凸部材２ｇ及び凸部材３ｄも同様である。
【００５４】
車止めシート１の予告シート２に設けた高凸部材２ｅ、低凸部材２ｆ及び凸部材２ｇの上面、又はサイド用シート３に設けた凸部材３ｄの上面を、球面状に丸めて略円錐状にすることもできる。
【００５５】
上面を丸めることにより、タイヤ５ａに接触しやすくなり、高凸部材２ｅ又は低凸部材２ｆが発する音、接触式センサー６の感度、凸部材２ｇ又は凸部材３ｄの滑り止めの効果等を向上させることができる。
【００５６】
以上のように、本発明である車止めシートは、予告シートが車止めの位置を予告するので、免許取立ての初心者、女性又は老人等の車庫入れに自信のない者でも、安心して自動車を所定の位置に収めることができるようになる。
【００５７】
また、予告シートの発する音や、接触式センサーを使用したランプを確認することにより、夜や雨の日など視界の悪い状態でも、簡単に自動車を所定の位置に収容することができるようになる。
【図面の簡単な説明】
【００５８】
【図１】本発明である車止めシートの使用状況を示す図である。
【図２】本発明である車止めシートの斜視図である。
【図３】本発明である車止めシートの平面図である。
【図４】本発明である車止めシートの実施例１である予告シートの平面図である。
【図５】本発明である車止めシートの実施例１である予告シートの側面図である。
【図６】本発明である車止めシートの実施例１である予告シートの高凸部材の平面図である。
【図７】本発明である車止めシートの実施例１である予告シートの高凸部材の側面の断面図である。
【図８】本発明である車止めシートの実施例１である予告シートの低凸部材の平面図である。
【図９】本発明である車止めシートの実施例１である予告シートの低凸部材の側面の断面図である。
【図１０】本発明である車止めシートの実施例１である予告シートの凸部材の平面図である。
【図１１】本発明である車止めシートの実施例１である予告シートの凸部材の側面の断面図である。
【図１２】本発明である車止めシートの実施例２であるサイド用シートの平面図である。
【図１３】本発明である車止めシートの実施例２であるサイド用シートの正面図である。
【図１４】本発明である車止めシートの実施例３である接触式センサーを使用した予告シートにタイヤが載った状態を示す図である。
【図１５】本発明である車止めシートの実施例３である接触式センサーを使用した予告シートを越えてタイヤが車止めで留まった状態を示す図である。
【図１６】本発明である車止めシートの実施例４である予告シートの高凸部材の上面を丸めた場合の断面図である。
【図１７】本発明である車止めシートの実施例４である予告シートの低凸部材の上面を丸めた場合の断面図である。
【符号の説明】
【００５９】
１        車止めシート
２        左予告シート
２ａ      右予告シート
２ｂ      水平部
２ｃ      湾曲部
２ｄ      後端部
２ｅ      高凸部材
２ｆ      低凸部材
２ｇ      凸部材
２ｈ      貫通孔
２ｉ      孔
２ｊ      留具
３        左サイド用シート
３ａ      右サイド用シート
３ｂ      湾曲部
３ｃ      側端部
３ｄ      凸部材
３ｅ      留具
４        左車止め
４ａ      右車止め
５        自動車
５ａ      タイヤ
６        接触式センサー
６ａ      ランプ
【図１】
2007314984.tif 000003
【図２】
2007314984.tif 000004
【図３】
2007314984.tif 000005
【図４】
2007314984.tif 000006
【図５】
2007314984.tif 000007
【図６】
2007314984.tif 000008
【図７】
2007314984.tif 000009
【図８】
2007314984.tif 000010
【図９】
2007314984.tif 000011
【図１０】
2007314984.tif 000012
【図１１】
2007314984.tif 000013
【図１２】
2007314984.tif 000014
【図１３】
2007314984.tif 000015
【図１４】
2007314984.tif 000016
【図１５】
2007314984.tif 000017
【図１６】
2007314984.tif 000018
【図１７】
2007314984.tif 000019